(57)【要約】【課題】ソフトアイスクリーム製造自動販売機において、音楽、数字表示による宣伝と共に装置の作動状況を通信回路を通じて管理する。【解決手段】ソフトアイスクリーム製造自動販売機前面に表示装置４１、スピーカーを設けて音楽、数字表示を行い、装置パネル内に温度センサー６１、圧力センサー６２などのアイスクリーム製造自動販売機の動作を検出するセンサー、及びそれらの検出データを通信回線を通じて管理センターに送信する通信装置を備え、装置の故障などを検知すると共にメンテナンス上必要な故障原因などを把握可能とする。【選択図】図３
0003125865.tif 000002
【実用新案登録請求の範囲】
【請求項１】
ソフトアイスクリーム自動製造販売機において、
機体及び機体内の冷凍装置、製氷装置及び制御装置からなり、
該冷凍装置は、製氷装置の冷源（cold source）であり、
該製氷装置は、材料をアイスクリームに製造して出力し、
該制御装置は、冷凍装置と製氷装置の作動をコントロールする構成とし、
さらに、複数の保存メディアに対応してビデオ情報とオーディオ情報を広告するマルチメディア広告装置を備え、
マイクを接続するオーディオ入力インターフェースを設けたことを特徴とする多機能のソフトアイスクリーム自動製造販売装置。
【請求項２】
前記マルチメディア広告装置において、
表示装置と、スピーカーと、数字プレーヤーとを備え、
該数字プレーヤーは、該表示装置と該スピーカにビデオ信号とオーディオ信号を供給することを特徴とする請求項１に記載の多機能のソフトアイスクリーム自動製造販売装置。
【請求項３】
前記数字プレーヤーは、制御装置に接続して該制御装置からのコントロール信号を受けて表示装置へ伝送し、該表示装置によって出力することを特徴とする請求項２に記載の多機能のソフトアイスクリーム自動製造販売装置。
【請求項４】
さらにリアルタイム検知測定装置を備え、
該リアルタイム検知測定装置は、上記冷凍装置及び製氷装置の動作を検知するセンサーと、センサーの検出データの係数コンバータとを備え、
前記制御装置は、データ処理装置を備え、該センサーからのリアルタイム測定信号を係数コンバータに伝送し、該係数コンバータは受信した測定信号を数字信号に転換してからデータ処理装置に伝送し、
該データ処理装置は受け取った測定データに基づいて、検知した上記冷凍装置及び製氷装置の作動状態を判断して制御処理をすることを特徴とする請求項２に記載の多機能のソフトアイスクリーム自動製造販売装置。
【請求項５】
さらに警報装置を備え、該警報装置はデータ処理装置に接続してデータ処理装置の測定データに対する判断結果に基づいて、音及び光による警報信号を出すことを特徴とする請求項４に記載の多機能のソフトアイスクリーム自動製造販売装置。
【請求項６】
前記冷凍装置は、圧縮機と、凝縮器と、膨張バルブと、蒸発器とを備え、
前記製氷装置は、材料を貯留する容器と、甕体と、撹拌器と、取出バルブとを備え、
冷媒は、圧縮機によって圧縮され、凝縮器によって放熱して膨張バルブによって膨張することにより蒸発器中の熱量を吸収し、且つ気体戻りパイプを通じて圧縮機に流れ戻り、
該材料を貯留する容器は、甕体の上部に取り付けられて材料の貯留または甕体に材料を供給し、
該撹拌器は、甕体に設けられて材料を撹拌し、
該蒸発器は、甕体を囲むように設けられてその中の材料を冷凍し、
該取出バルブは、甕体の片側に設けられて製造したアイスクリームを出力することを特徴とする請求項５に記載の多機能のソフトアイスクリーム自動製造販売装置。
【請求項７】
前記センサーは、温度センサーを備え、該温度センサーは、前記甕体の外表面に取り付けられ、熱伝導によって、甕体内の温度を測定しており、前記データ処理装置は、受け取った温度測定データに基づいて、該甕体内の状態を判断することを特徴とする請求項６に記載の多機能のソフトアイスクリーム自動製造販売装置。
【請求項８】
前記センサーは、圧力センサーであって前記圧縮機の気体戻りパイプに取り付けられて圧縮機に入る冷媒気体の圧力を検出し、前記データ処理装置は、受け取った圧力測定データに基づいて、前記冷凍装置が正常に作動しているかどうかを判断することを特徴とする請求項６に記載の多機能のソフトアイスクリーム自動製造販売装置。
【請求項９】
前記センサーは、ホール電流センサーであって前記撹拌器の電流回路に取り付けられて、その作動電流を検知測定し、前記データ処理装置は、受け取った電流測定データに基づいて、過電流保護を行うかどうかを判断することを特徴とする請求項６に記載の多機能のソフトアイスクリーム自動製造販売装置。
【請求項１０】
前記センサーは、液体位置センサーであって前記材料を貯留する容器に取り付けられて、材料の液面が一定の程度以下に下がると低位置信号を出し、前記データ処理装置は、受け取った低液体位置信号に基づいて、警報装置をコントロールすることにより、対応する音及び光による警報の信号を出すことを特徴とする請求項６に記載の多機能のソフトアイスクリーム自動製造販売装置。
【請求項１１】
さらに双方向通信装置を備え、該双方向通信装置は、前記制御装置に接続され、外部から入力された操作情報を制御装置に伝送して表示される仕事モードを選択し、且つ制御装置から出力するこれらの情報を表示することを特徴とする請求項１〜１０のいずれか一項に記載の多機能のソフトアイスクリーム自動製造販売装置。
【請求項１２】
前記双方向通信装置は、タッチパネル液晶スクリーンとキーボードを備えることを特徴とする請求項１１に記載の多機能のソフトアイスクリーム自動製造販売装置。
【請求項１３】
さらに長距離通信装置を備え、前記制御装置は、該長距離通信装置によって、外部通信ネットワークに接続しており、長距離のデータ伝送を行うことを特徴とする請求項１〜１０のいずれか一項に記載の多機能のソフトアイスクリーム自動製造販売装置。
【請求項１４】
前記マルチメディア広告装置は、カラオケ機能を備えるマルチメディア広告装置であって、その表示装置は前記機体の上部に取り付けられ、そのスクリーンは機体のパネルにはめ込まれ、スピーカを設けたことを特徴とする請求項２〜１０のいずれか一項に記載の多機能のソフトアイスクリーム自動製造販売装置。
【考案の詳細な説明】
【技術分野】
【０００１】
本考案は、冷凍食品の加工装置に関するもので、特にカラオケ機能を持つ多機能のソフトアイスクリーム自動製造販売装置に関するものである。
【背景技術】
【０００２】
ソフトアイスクリ−ム自動製造販売装置は、ソフトアイスクリ−ムを製造する電気設備である。従来のソフトアイスクリーム自動製造販売装置は、機体及び機体に取り付けられた冷凍装置と、製氷装置と、制御装置とを備え、其の内で、圧縮機と、凝縮器と、膨張バルブと、蒸発器とを備える冷凍装置は、前記製氷装置の中の材料を冷凍し、前記製氷装置は冷凍された材料を粉砕撹拌することにより、ソフトアイスクリ−ムを製造し、且つソフトアイスクリームを出力し、前記制御装置はこれらの機械全体の作動をコントロールする。従来のソフトアイスクリーム自動製造販売装置は、ソフトアイスクリ−ムを製造するだけで、売る製品の品質を如実に宣伝することができず、且つ販売する環境も単一である問題があった。
【０００３】
さらに、機械が故障した場合、通常専門のスタッフが現場まで行き、故障原因の診断と補修をしなければならず、且つ、補修する時、故障の正確な原因、情報を迅速且つ直接に得ることができないため、時間の浪費と経済的損失をもたらす問題があった。
【特許文献１】特開２００１−１０９９３８号公報
【特許文献２】特許第３３７２２５５号公報
【考案の開示】
【考案が解決しようとする課題】
【０００４】
本考案の目的は、前記課題を解決し、公知のソフトアイスクリーム自動製造販売装置のこれらの機能を改善し、ソフトアイスクリームを製造するとともに、販売促進と消費者が消費したくなる雰囲気を演出するカラオケ機能を持つ多機能のソフトアイスクリーム自動製造販売装置を提供することである。
【０００５】
本考案のもう一つの目的は、前記課題を解決し、機械の主な運行パラメーターに対して、自動的に監視するとともにコントロールすることができ、故障した場合、正確に判断するためのデータを迅速に提供することができるカラオケ機能を持つ多機能のソフトアイスクリーム自動製造販売装置を提供することである。
【課題を解決するための手段】
【０００６】
前記目的を達成するため、本考案に係る多機能のソフトアイスクリーム自動製造販売装置は、機体及び機体に取り付けられた冷凍装置と、製氷装置と、制御装置と、マルチメディア広告装置とを備え、前記冷凍装置は製氷装置に冷源（cold source）を提供しており、前記製氷装置は材料をアイスクリームに製造してから出力し、前記制御装置は冷凍装置と製氷装置の作動をコントロールし、前記マルチメディア広告装置はビデオ情報とオーディオ情報を広告し、前記マルチメディア広告装置には、マイクを接続するオーディオ入力インターフェースを設けられる。
【０００７】
前記マルチメディア広告装置は、表示装置と、スピーカーと、数字プレーヤーとを備え、前記数字プレーヤーは、前記表示装置とスピーカへビデオ信号とオーディオ信号を提供する。
【０００８】
前記数字プレーヤーは制御装置に接続されて前記制御装置からのコントロール信号を受けて表示装置に伝送し、表示装置に出力する。
【０００９】
前記マルチメディア広告装置は、カラオケ機能を持つマルチメディア広告装置であって、その表示装置は前記機体のトップに取り付けられ、そのスクリーンは機体のパネルに組み込まれ、前記スピーカは表示装置の内部或は外部に設けられる。
【００１０】
本考案のもう一つの目的を達成するため、前記多機能のソフトアイスクリーム自動製造販売装置は、さらにリアルタイム検知測定装置を備え、該リアルタイム検知測定装置は、センサーと、係数コンバータとを備え、前記制御装置はデータ処理装置を備え、前記センサーは機体内の動作を検知する部品に取り付けられ、リアルタイム測定信号を係数コンバータに伝送し、前記係数コンバータは受信した測定信号を数字信号に転換してからデータ処理装置に伝送する。前記データ処理装置は、受け取った測定データに基づいて、検知した部品の作動状態を判断して、対応する制御動作を行なう。
【００１１】
前記センサーは、温度センサーと、圧力センサーと、ホール電流センサーと、液体位置センサーなどを備え、甕内の温度、圧縮機による冷媒の吐出圧力、撹拌器の作動電流、材料を貯留する容器中の液体位置などの重要な作動パラメーターに対して、監視するとともにコントロールすることにより、リアルタイムで機械の運行状況を掌握して、適時に故障を発見し、且つ状況に基づいて処理を行う。
【００１２】
リアルタイム検知測定装置に対して設置を行って、且つリアルタイム検知測定装置からデータを得るために、前記多機能のソフトアイスクリーム自動製造販売装置はさらに双方向通信装置を備え、前記双方向通信装置はデータ処理装置に接続しており、外部から入力された操作情報をデータ処理装置に伝送し、仕事モードを選択したり系統のパラメーターを設置したりし、且つデータ処理装置から出力する系統情報を表示する。前記双方向通信装置は、タッチパネル液晶スクリーンとキーボードを採用することができる。
【００１３】
緊急或は重要な故障の場合、適時に使用者に知らせるために、前記多機能のソフトアイスクリーム自動製造販売装置に、さらに警報装置を設け、該警報装置はデータ処理装置に接続しており、データ処理装置の測定データに対した判断結果に基づいて、音及び光により故障中などの警報信号を出す。
【００１４】
なお、前記多機能のソフトアイスクリーム自動製造販売装置に、さらに長距離通信装置を設け、前記データ処理装置は長距離通信装置によって外部通信ネットワークに接続することにより長距離のデータ伝送を行い、機械の長距離診断及びメーンテナンスに必要な情報を提供する。
【考案の効果】
【００１５】
本考案の多機能のソフトアイスクリーム自動製造販売装置は、マルチメディア広告装置を配置することにより、アイスクリームを製造するとともにカラオケ機能を実現し、製品を音声で広告し、製品の品質や文化を普及することができ、良好な販売促進の効果を達成し、また消費者に更に好適な消費環境を提供することができる。
【００１６】
本考案の多機能のソフトアイスクリーム自動製造販売装置は、リアルタイム検知測定装置を設置し、データ処理装置と結合して、機械の主要部品の運行パラメーターに対して、自動的に監視するとともにコントロールすることができ、且つ双方向通信装置と長距離通信装置を設けることにより、使用者と管理者は、これらの外部接続インターフェースによって、便利にこれらのパラメーターを獲得することができ、機械の運行状況を透明化し、メンテナンスし易く、一旦故障しても、適時に故障を発見し、且つ状況に基づいて、処理を行って問題を解決することができるため、時間も労力も節約することができる。
【考案を実施するための最良の形態】
【００１７】
以下に、本考案の実施の形態について、図面を用いて説明する。
【００１８】
図１と図２に示すように、本考案のカラオケ機能を持つ多機能のソフトアイスクリーム自動製造販売装置は、機体及び機体に取り付けられた冷凍装置と、製氷装置と、マルチメディア広告装置と、リアルタイム検知測定装置と、制御装置と、双方向通信装置と、警報装置と、長距離通信装置とを備える。
【００１９】
図５に示すように、機体の外形は直方体状を呈し、且つ直立しており、ソフトアイスクリーム自動製造販売装置の支持機構として、パネルと、パネルの内部に位置するフレーム体とを備え、前記パネルは、トップカバー１１と、トップボード１２と、前面上部パネル１３と、前面中部パネル１４と、前面下部パネル１５と、側面ボード１６と、バックボード１７と、台座１８とを備える。パネル左右側面ボード１６の下部に通気孔を設けて、放熱及び良好な通気環境を必要とする前記機体内部の冷凍装置の圧縮機と凝縮器を配置する。移動の便のため機体の台座１８に脚輪（キャスター）１９を設け、本実施例においては、前記パネルの材料はメタルシート材料であって、前記フレーム体はアングル鋼材（angle steel bar）を溶接して構成し、パネルのそれぞれの部分は、内六角ボルトによって、フレーム体の対応するアングル材に接続しており、且つパネルとアングル材との間には一層の防振ゴム片を介挿する。
【００２０】
図３と図４に示すように、冷凍装置は、圧縮機２１と、凝縮器２２と、膨張バルブ２３と、蒸発器２４（左右の二つの部分からなる）と、凝縮器２２の放熱を促すファン２５と、冷媒を乾燥する乾燥フィルタ２６とを備える。冷媒は、圧縮機２１の圧縮によって、凝縮器２２の中で十分に放熱しており、乾燥フィルタ２６を経てから、膨張バルブ２３によって膨張して気化熱により低温となって蒸発器２４に達し、製氷装置内のアイスクリーム材料を冷凍してから、最後に圧縮機２１へ回流する。回路全部のそれぞれの部分は銅製パイプによって接続する。
【００２１】
製氷装置は、材料を貯留する容器３１と、甕体３２と、取出バルブ３３と、モーター３４及び伝動装置（順序に伝動する小さいベルト輪３５と、ベルト３６と、大きいベルト輪３７と、変速歯輪ボックス３８とを備える）によって動かす撹拌器（図に示していない）とを備える。前記材料を貯留する容器３１は機体のフレーム体の上方に取り付けられ、且つその上方に開口を設け、操作者はフレーム体のトップカバー１１を開けて材料を貯留する容器３１に供給する。甕体３２は、材料を貯留する容器３１の下部に設けられ、材料を貯留する容器３１に添加する材料を受け入れる。甕体３２は左右の二部分に分けられ、前記材料は、甕体３２を囲む左右蒸発器２４によって冷凍する。撹拌器は甕体３２内に設けられて冷凍過程で材料を撹拌することにより、アイスクリームを製造する。取出バルブ３３は甕体３２の片側に設けられ、機体の前面中部パネル１４に位置して使用者が操作することにより製造されたアイスクリームを出力する。
【００２２】
マルチメディア広告装置は、表示装置４１と、スピーカ（図に示していない）及び数字プレーヤー４３とを備える。前記表示装置４１は機体の上部に取り付けられ、前記表示装置４１のスクリーンは機体の前面上部パネル１３にはめ込まれており、前記スピーカは、表示装置４１の内部に設けられることができるが、表示装置４１のスクリーンの両側に位置して、或は独立に機体に設けられることができ、前記数字プレーヤー４３は表示装置４１の下部に取り付けられてそれぞれ前記表示装置４１とスピーカにビデオ信号とオーディオ信号を供給する。また、複数の内部及び外部インターフェースを設けることができ、例えば、コントロール信号入力ポートであって、他の部品として、例えば制御装置から情報を得て、表示装置４１に伝送することにより表示することに用いられ、或はオーディオ入力インターフェース、オーディオ出力インターフェースなどであって、それぞれマイク４２、イヤホンなどを接続することに用いられる。本実施例において、表示装置４１はＣＲＴ（Ｃａｔｈｏｄｅ  Ｒａｙ  Ｔｕｂｅ、ブラウン管）表示装置、ＬＣＤ（Ｌｉｑｕｉｄ  Ｃｒｙｓｔａｌ  Ｄｉｓｐｌａｙ、液晶表示装置）などを採用することができ、数字プレーヤー４３は、ＣＤ、ＤＶＤ、ＥＶＤなどのメディアを採用することができる。なお、該マルチメディア広告装置は、直接にカラオケ設備を採用することができる。従って、該マルチメディア広告装置は、ビデオ広告、オーディオ広告及びカラオケ機能を実現することができる。
【００２３】
図５に示すように、リアルタイム検知測定装置は、順次に接続するセンサーと、センサー信号を増幅する増幅器と、係数コンバータとを備える。各センサーは、それぞれ前記アイスクリーム製造装置の主要部品に各々取り付けられ、そのリアルタイム測定信号は、増幅器によって増幅してから係数コンバータに伝送しており、係数コンバータは受け取った測定信号を数字信号に転換してから制御装置に伝送する。
【００２４】
制御装置は、数字処理エンジン（ＤＳＰ  Ｅｎｇｉｎｅ）とマイクロ・プロセッサから構成するデータ処理装置を備え、機械全部の運行をコントロールすることに用いられる。制御装置は係数コンバータから伝送された測定データを受け取った後、数字処理エンジンによって高効率の高速の処理を行い、受け取ったすべてのデータをマイクロ・プロセッサで処理し、プログラム制御すると共にマイクロ・プロセッサによって対応するメモリに保存する。本実施例において、中断請求の制御法を採用することにより、測定データを収集し、且つマイクロ・プロセッサに伝送する。データを伝送するたびに、すべての対応する中断プログラムを移動して行われる。マイクロ・プロセッサは、受け取った測定データに基づいて、検知する部品の作動状態を判断しており、対応する制御プログラムに調整して、対応する制御処理を行う。
【００２５】
マイクロ・プロセッサは、測定データに基づいてソフトアイスクリーム自動製造販売装置の作動状態が正常でないと判断すると、対応する警報を告げるプログラムを伝送することにより、警報装置をコントロールし、音及び光による警報の信号を出す。事態が重大であると判断されると（例えば、過大な負荷電流が検知された場合）と、マイクロ・プロセッサは、直接に電源を切断するなどの応急措置を採用する。警報を告げる装置として、ＬＥＤフラッシュ・ランプと、音警報器などを備える。マイクロ・プロセッサは、ＲＳ−４８５インターフェースによって、オーディオ信号を出力する。
【００２６】
本考案の多機能ソフトアイスクリーム自動製造販売装置は、さらに長距離通信装置を設けることができ、前記マイクロ・プロセッサは長距離通信装置に接続しており、長距離通信装置が提供されたイーサネット（登録商標）のインターフェイスによって、長距離のデータ伝送を行われ、前記ソフトアイスクリーム自動製造販売装置の故障のコード及び特徴の陳述を、イーサネット（登録商標）と接続する（ｉｎｔｒａｌｉｎｋ）ことによって、ソフトアイスクリーム自動製造販売装置の取引先のサービスセンターに伝送する。該センターは、特徴コードと取引先の要請に基づいて、問題を解決する方法をフィードバックしており、或は設備を補修する人員を派遣するかどうか決める。
【００２７】
操作者が便利に制御装置のマイクロ・プロセッサに対して、制御パラメーターを設置したり、データを獲得したり、モードを設置したりなどの操作を行われるために、前記ソフトアイスクリーム自動製造販売装置は、さらにマイクロ・プロセッサに接続する双方向通信装置５を設けられ、タッチパネル液晶スクリーンと、キーボードとを備える。双方向通信装置５は、外部から入力された操作情報をマイクロ・プロセッサに伝送し、且つマイクロ・プロセッサから出力する系統情報を表示する。マイクロ・プロセッサは、その使用機能によって、５種類の仕事モードに設定することができ、例えば本地（正常に運行する）、長距離接続（制御センターと長距離通信と行う）、診断（リアルタイム検知測定装置の検知測定をコントロールしており、測定データに基づいて判断しており、検知測定結果や判断結果を出力する）、マルチメディア広告（数字広告装置と接続する場合、このモードは有効で、双方向通信装置を操作することによって、マルチメディア広告装置をコントロールすることができる）、警報を告げる（システムが故障した場合、警報装置によって、警報の信号を出すばかりでなく、警報の信号及び錯誤コードをタッチスクリーンに表示することができる）など。操作者は、タッチパネルスクリーンとキーボードを操作することにより、マイクロ・プロセッサを各種の仕事モードに切り替えて対応する操作を行わせることができる。
【００２８】
まず、本実施例において、リアルタイム検知測定装置の各センサーを取り付ける方式に対して、及びリアルタイム検知測定する場合、制御装置によって、測定データを判断し、処理することに対して、以下の通り詳しく説明する。
【００２９】
図３に示すように、温度センサー６１は、甕体３２の外表面の内部で上部に偏った位置に取り付けられ、アルミ箔のゴムテープ（aluminum-foil-tape）によってしっかり貼られ、発泡ポリウレタン（Polyurethane Foam）によってしっかり押さえることにより、外界と断熱しており、甕体３２内の材料の温度は、内筒と外筒で測定して温度センサー６１に伝送する。温度センサー６１は、リアルタイムに甕体３２内の材料の温度を監視するとともにコントロールしており、システムが起動後、その温度が設けられた安定の温度の範囲Ｔ０（一般には−７℃〜−２℃である）にあると作動は正常であると表示し、温度が低すぎると甕が凍ったりし、温度が高すぎると冷凍不良となったりするため、マイクロ・プロセッサは、温度センサー６１の測定データ及びユーザ設置に基づいて、測定データをタッチパネルスクリーンに出力しており、或は温度が設置範囲を逸脱すると、警報装置をコントロールすることにより、警報の信号を出す。
【００３０】
図３に示すように、圧力センサー６２は、圧縮機２１の気体戻りパイプに接しており、圧縮機２１から１５０ｍｍ程度の位置で冷却管路内の圧縮機２１に吸入される冷媒の圧力を検知することに用いられる。予め冷凍装置の起動後の冷媒気体圧力範囲をＰ０（一般には１．０ＭＰ〜１．５ＭＰである）と設定しており、その圧力が高い場合、甕体３２内の材料の温度が高いと判断され、その圧力が低くなると、甕体３２内の材料の温度が低いと表示する。圧力が低すぎると、甕が凍った状況が出現したり、或は冷凍装置内の冷媒の一部分が漏れたと表示するなど、該圧力の大きさ及び状態に基づいて冷凍装置が正常に作動しているかどうか理解することができる。マイクロ・プロセッサは、圧力センサー６２の測定データ及びユーザ設置に基づいて、測定データをタッチスクリーンに出力しており、或は圧力が設置範囲を上回ると、警報装置をコントロールすることにより、警報信号を出す。
【００３１】
ホール電流センサーは（図に示していない）、撹拌器モーター３４の電流回路に取り付けられ、その作動電流を検知測定する。マイクロ・プロセッサは、受け取った電流測定データ及びパラメーター設置に基づいて、モーター３４の作動電流が設定された作動値に達するかどうかを判断しており、或は過電流となるかどうかを判断しており、且つ判断結果に基づいて、対応する処理を行う。例えば、アイスクリームの硬度値を７段に設定する場合、最高値の時アイスクリームの温度は極めて低く、硬度値は高いと表示され、その時、アイスクリームの製造動作を止める電流をＩ７（例えば６．２Ａ）に設定し、その値を上回って、且つ一定の時間を遅延し、正常に作動を止めることができない場合マイクロ・プロセッサは、過電流の保護（例えば、電流は１６Ａを上回らない）操作を行いモーター３４を適当に保護する。
【００３２】
図２に示すように、液体位置センサー６３は、材料を貯留する容器３１内に取り付けられ、材料の液面高度を測定することに用いられる。本実施例において、該液体位置センサー６３は、マグネトロン型のスイッチを採用することができ、その固定子はナットによって、材料を貯留する容器３１の底部に取り付けられ、浮きはパイプ中を上から下まで自由に滑動することができ、前記浮きは常に材料表面に浮いた状態にある。液面が一定高さ以下に下がると、該センサーは低位置信号を発信する。マイクロ・プロセッサは、材料が低い位置に達した中断請求を受け取った場合、対応するプログラムを起動し、液体位置指示ランプを点灯するなどして、警報装置をコントロールすることにより、警報の信号を出す。
【００３３】
リアルタイム検知測定装置は、上述の何種類かのセンサーばかりでなく、さらに他の各種センサー及び感応装置を設けることができ、リアルタイムに前記ソフトアイスクリーム自動製造販売装置の作動状況を検出する。例えば、サンプリング変圧器（図示せず。）は、機械全部を電源入力端に取り付けて、電源の電圧をサンプリングしており、且つサンプリング信号を６シュミットトリガーに伝送して、マイクロ・プロセッサの制御プログラムによって前もって設定された電圧値と比較することに用いられ、機械全部に対して、高電圧或は低電圧の保護を行う。例えば、高電圧のサンプリング限界値の設定が４．３Ｖに達し、前記ソフトアイスクリーム自動製造販売装置は２４０ボルテージ程度になると、作動を止めることにより、高電圧に対する保護が行われ、低電圧のサンプリング限界値の設定が３．２Ｖに達し、前記ソフトアイスクリーム自動製造販売装置は１９０ボルテージ程度になると、作動を止めることにより、低電圧に対する保護が行われる。
【００３４】
本考案の多機能のソフトアイスクリーム自動製造販売装置は、音楽や数字映像を広告することができ、及びマイクによって、オーディオを出力することにより、製品を宣伝することができ、製品の販売を促進し、且つカラオケにより歌うこともできるので、消費者は、楽しみながらソフトアイスクリームを購入することができ、使用者は機械の運行のパラメーターを収集して参考とすることができるため故障した場合は、自ら故障の原因を診断し、解決方法を分析することができ、または、使用者は、ネットワークによって、機械のパラメーターを取引先サービスセンターに伝送することができ、専門のスタッフにより分析して、故障を排除する方法を指導する。
【図面の簡単な説明】
【００３５】
【図１】（ａ）（ｂ）それぞれ本考案の多機能のソフトアイスクリーム自動製造販売装置の外部構成を示す側面図（ａ）と正面図（ｂ）である。
【図２】図１に示す多機能のソフトアイスクリーム自動製造販売装置の主な内部構成を示す図である。
【図３】（ａ）（ｂ)本考案の冷凍装置の構成を示す図である。
【図４】本考案の冷凍装置の原理を説明する図である。
【図５】本考案の制御システムの原理を説明する図である。
【符号の説明】
【００３６】
５  双方向通信装置
１１  トップカバー
１２  トップボード
１３  前面上部パネル
１４  前面中部パネル
１５  前面下部パネル
１６  側面ボード
１７  バックボード
１８  台座
１９  脚輪
２１  圧縮機
２２  凝縮器
２３  膨張バルブ
２４  蒸発器
２５  ファン
２６  乾燥フィルタ
３１  材料を貯留する容器
３２  甕体
３３  取出バルブ
３４  モーター
３５  小さいベルト輪
３６  ベルト
３７  大きいベルト輪
３８  変速歯輪ボックス
４１  表示装置
４２  マイク
４３  数字プレーヤー
６１  温度センサー
６２  圧力センサー
６３  液体位置センサー
【図１】
0003125865.tif 000003
【図２】
0003125865.tif 000004
【図３】
0003125865.tif 000005
【図４】
0003125865.tif 000006
【図５】
0003125865.tif 000007